(57)【要約】【課題】本発明は、ユーザがメッセージを容易且つ適切に作成することを可能とする端末等を提供することを目的とする。【解決手段】本発明に係る端末（２、１２）は、複数の利用シーン及び複数の利用シーンのそれぞれに対応した定型文が記憶されている記憶部（２１０）と、利用シーンを決定する利用シーン決定部（２２３、２３２）と、利用シーン決定部が決定した利用シーンに対応した定型文を選択可能に表示する表示部（２０４）と、表示部に選択可能に表示された定型文を選択する操作部（２０３）と、操作部を用いて選択された定型文を含むメッセージを作成するメッセージ作成部（２２４）と、メッセージを送信するメッセージ送信部（２２５）と、を有する。【選択図】図２
2015060304.tif 000002
【特許請求の範囲】
【請求項１】
複数の利用シーン及び前記複数の利用シーンのそれぞれに対応した定型文が記憶されている記憶部と、
利用シーンを決定する利用シーン決定部と、
前記利用シーン決定部が決定した利用シーンに対応した定型文を選択可能に表示する表示部と、
前記表示部に選択可能に表示された定型文を選択する操作部と、
前記操作部を用いて選択された定型文を含むメッセージを作成するメッセージ作成部と、
前記メッセージを送信するメッセージ送信部と、
を有することを特徴とする端末。
【請求項２】
前記端末の移動に係るデータを出力する検出部と、
前記検出部から出力されたデータに基づいて前記端末が移動しているか否かを示す移動情報を生成する移動情報生成部と、をさらに有し、
前記利用シーン決定部は、前記移動情報に基づいて、利用シーンを決定する、請求項１に記載の端末。
【請求項３】
前記端末の移動に係るデータは、前記端末に加わる加速度又は回転角速度である、請求項２に記載の端末。
【請求項４】
前記端末が存在する位置を検出する位置検出部をさらに有し、
前記利用シーン決定部は、更に、前記端末が存在する位置に基づいて、利用シーンを決定する、請求項２または３に記載の端末。
【請求項５】
前記利用シーン決定部は、前記操作部による操作入力に基づいて、利用シーンを決定する、請求項１に記載の端末。
【請求項６】
利用シーンに対応した定型文を前記端末に設定することが可能な第２端末を管理するサーバから、第２端末により設定された利用シーンに対応した定型文を取得し、前記記憶部に記憶する更新部をさらに有する、請求項１〜５の何れか一項に記載の端末。
【請求項７】
前記記憶部は、前記メッセージの宛先毎に、前記複数の利用シーンのそれぞれに対応した定型文を記憶し、
前記表示部は、前記操作部を用いて選択されたメッセージの宛先及び利用シーンに対応した定型文を選択可能に表示する、請求項１〜６の何れか一項に記載の端末。
【請求項８】
前記記憶部は、前記メッセージの宛先毎に、過去に送信したメッセージの少なくとも一部を利用シーンに対応した定型文として記憶する、請求項７に記載の端末。
【請求項９】
記憶部と、操作部と、表示部と、を有する端末の制御プログラムであって、
前記記憶部に、複数の利用シーン及び前記複数の利用シーンのそれぞれに対応した定型文を記憶し、
利用シーンを決定し、
前記表示部に、決定した利用シーンに対応した定型文を選択可能に表示し、
前記操作部を用いて選択された、前記表示部に選択可能に表示された定型文を含むメッセージを作成し、
前記メッセージを送信する、
ことを前記端末に実行させることを特徴とする制御プログラム。
【発明の詳細な説明】
【技術分野】
【０００１】
本発明は、メッセージを送信する機能を有する端末及び制御プログラムに関する。
【背景技術】
【０００２】
現在、電子メール、ＳＭＳ（Short Message Service）等のメッセージを送信する機能を有する携帯電話が普及している。しかしながら、携帯電話の操作に不慣れな老人、子供等にとって、メッセージを作成する操作は困難であり、メッセージを作成するために多大な時間及び労力が必要となる場合がある。
【０００３】
例えば、特許文献１には、複数の定型文書を電子メールの件名と関連付けて記憶し、送信者からの入力に応じて電子メールの件名を選択し、該選択された件名と関連付けられている定型文書を選択し、該選択された定型文書を用いてメール本体を形成する電子メール送信プログラムが開示されている。
【先行技術文献】
【特許文献】
【０００４】
【特許文献１】特開２００２−２７８８９９号公報
【発明の概要】
【発明が解決しようとする課題】
【０００５】
特許文献１に記載の電子メール送信プログラムを利用することにより、ユーザは容易に電子メールを作成することができる。しかしながら、ユーザは、作成しようとする電子メールの内容に対応していない件名を誤って選択してしまう場合がある。ユーザが、作成しようとする電子メールの内容に対応していない件名を誤って選択した場合、所望の電子メールを作成することができなかった。
【０００６】
本発明は、このような従来の課題を解決すべくなされたものであり、ユーザがメッセージを容易且つ適切に作成することを可能とする端末及び制御プログラムを提供することを目的とする。
【課題を解決するための手段】
【０００７】
本発明に係る端末は、複数の利用シーン及び複数の利用シーンのそれぞれに対応した定型文が記憶されている記憶部と、利用シーンを決定する利用シーン決定部と、利用シーン決定部が決定した利用シーンに対応した定型文を選択可能に表示する表示部と、表示部に選択可能に表示された定型文を選択する操作部と、操作部を用いて選択された定型文を含むメッセージを作成するメッセージ作成部と、メッセージを通信部を介して送信するメッセージ送信部と、を有する。
【０００８】
また、本発明に係る端末において、端末の移動に係るデータを出力する検出部と、検出部から出力されたデータに基づいて端末が移動しているか否かを示す移動情報を生成する移動情報生成部と、をさらに有し、利用シーン決定部は、移動情報に基づいて、利用シーンを決定することが好ましい。
【０００９】
さらに、本発明に係る端末において、端末の移動に係るデータは、端末に加わる加速度又は回転角速度であることが好ましい。
【００１０】
また、本発明に係る端末において、端末が存在する位置を検出する位置検出部をさらに有し、利用シーン決定部は、更に、端末が存在する位置に基づいて、利用シーンを決定することが好ましい。
【００１１】
また、本発明に係る端末において、利用シーン決定部は、操作部による操作入力に基づいて、利用シーンを決定することが好ましい。
【００１２】
また、本発明に係る端末において、利用シーンに対応した定型文を端末に設定することが可能な第２端末を管理するサーバから、第２端末により設定された利用シーンに対応した定型文を取得し、記憶部に記憶する更新部をさらに有することが好ましい。
【００１３】
また、本発明に係る端末において、記憶部は、メッセージの宛先毎に、複数の利用シーンのそれぞれに対応した定型文を記憶し、表示部は、操作部を用いて選択されたメッセージの宛先及び利用シーンに対応した定型文を選択可能に表示することが好ましい。
【００１４】
また、本発明に係る端末において、記憶部は、メッセージの宛先毎に、過去に送信したメッセージの少なくとも一部を利用シーンに対応した定型文として記憶することが好ましい。
【００１５】
本発明に係る端末の制御プログラムは、記憶部と、操作部と、表示部と、を有する端末の制御プログラムであって、記憶部に、複数の利用シーン及び複数の利用シーンのそれぞれに対応した定型文を記憶し、利用シーンを決定し、表示部に、決定した利用シーンに対応した定型文を選択可能に表示し、操作部を用いて選択された、表示部に選択可能に表示された定型文を含むメッセージを作成し、メッセージを送信することを端末に実行させる。
【発明の効果】
【００１６】
本発明に係る端末及び制御プログラムは、複数の利用シーンのそれぞれに対応した定型文を記憶し、利用シーンに対応した定型文を選択可能に表示し、選択された定型文を用いてメッセージを作成することにより、ユーザがメッセージを容易且つ適切に作成することを可能とする。
【図面の簡単な説明】
【００１７】
【図１】通信システム１の概略構成の一例を示す図である。
【図２】（ａ）は携帯端末２の概略構成の一例を示す図であり、（ｂ）は連絡先管理テーブルのデータ構造の一例を示す図であり、（ｃ）は定型文管理テーブルのデータ構造の一例を示す図である。
【図３】携帯端末２の設定処理の動作フローの一例を示す図である。
【図４】メール作成処理の動作フローの一例を示す図である。
【図５】（ａ）は宛先選択画面の一例を示す図であり、（ｂ）はシーン選択画面の一例を示す図であり、（ｃ）は件名選択画面の一例を示す図であり、（ｄ）は本文選択画面の一例を示す図である。
【図６】（ａ）はメール送信画面の一例を示す図であり、（ｂ）は送信完了画面の一例を示す図である。
【図７】（ａ）は管理端末３の概略構成の一例を示す図であり、（ｂ）は被管理端末管理テーブルのデータ構造の一例を示す図である。
【図８】携帯端末２の設定処理の動作フローの一例を示す図である。
【図９】（ａ）は端末選択画面の一例を示す図であり、（ｂ）は機能選択画面の一例を示す図であり、（ｃ）は「電話帳の編集」の詳細設定画面の一例を示す図であり、（ｄ）は「定型文の設定」の詳細設定画面の一例を示す図である。
【図１０】（ａ）は管理サーバ４の概略構成の一例を示す図であり、（ｂ）は端末管理テーブルのデータ構造の一例を示す図である。
【図１１】携帯端末２の設定処理の動作フローの一例を示す図である。
【図１２】第２の実施形態に従った携帯端末１２の概略構成の一例を示す図である。
【図１３】シーン決定処理の動作フローの一例を示す図である。
【発明を実施するための形態】
【００１８】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１９】
（第１の実施形態）
本実施形態では、携帯端末は、複数の利用シーンのそれぞれに対応した定型文を記憶し、ユーザが電子メールを作成する際、複数の利用シーンを選択可能に表示する。さらに、携帯端末は、ユーザにより選択された利用シーンに対応する定型文を選択可能に表示し、ユーザにより選択された定型文を用いて電子メールを作成する。
【００２０】
図１は、通信システム１の概略構成の一例を示す図である。
【００２１】
通信システム１は、携帯端末２と、管理端末３と、管理サーバ４と、ＳＭＳ生成サーバ５と、ＳＭＳ送信サーバ６と、更新サーバ７とを有する。
【００２２】
通信システム１では、不図示の交換機が、広域通信回線網である通信ネットワーク９を介して相互に接続される。交換機は、ある地域をカバーする無線通信ネットワークを通信ネットワーク９に接続する。無線通信ネットワークには、それぞれ地域内をカバーする無線ゾーンを管理するように複数の基地局８ａ〜８ｃが配置される。各基地局８ａ〜８ｃは、それぞれが属する不図示の無線ネットワーク制御装置を介して交換機に接続される。そして、ある地域内の携帯端末２が、管理端末３等のその地域内外の他の携帯端末、管理サーバ４、ＳＭＳ送信サーバ６、更新サーバ７等と通信を行う際に、携帯端末２は、基地局８ａを介して交換機に接続され、さらに通信ネットワーク９に接続される。
【００２３】
また、通信ネットワーク９は、イーサネット（登録商標）等の有線ＬＡＮにより、不図示のゲートウェイを介して、イントラネット１０と接続される。イントラネット１０には、管理サーバ４、ＳＭＳ生成サーバ５、ＳＭＳ送信サーバ６及び更新サーバ７がさらに接続される。
【００２４】
なお、本実施形態では、携帯端末２のユーザとして使用にあたり支援が必要な者を想定し、管理端末３のユーザとしてその保護者を想定する。
【００２５】
ＳＭＳ生成サーバ５は、管理サーバ４からの要求に従ってメッセージを作成し、作成したメッセージをＳＭＴＰ（Simple Mail Transfer Protocol）のプロトコルに従って、イントラネット１０を介してＳＭＳ送信サーバ６へ送信するサーバである。
【００２６】
ＳＭＳ送信サーバ６は、イントラネット１０を介してＳＭＳ生成サーバ５から受信したメッセージをＳＭＳのメッセージとして、基地局８ｃ及び通信ネットワーク９を介して携帯端末２に送信するサーバである。そのために、ＳＭＳ送信サーバ６は、イーサネット（登録商標）などの有線の通信インターフェース回路を有してイントラネット１０と通信を行う有線通信部と、主に２．１ＧＨｚ帯を感受帯域とするアンテナを含む通信インターフェース回路を有して通信ネットワーク９と無線通信を行う無線通信部とを有する。
【００２７】
更新サーバ７は、携帯端末２に特定のアプリケーションソフトウェアを提供するサーバである。
【００２８】
図２（ａ）は、携帯端末２の概略構成の一例を示す図である。
【００２９】
携帯端末２は、通信装置の一例であり、例えば多機能携帯電話（いわゆる「スマートフォン」）であり、無線通信ネットワークへの接続、電子メールの作成及び送信、携帯端末２の移動検知、所定のアプリケーションプログラムの実行等を可能とする。そのために、携帯端末２は、第１無線通信部２０１と、第２無線通信部２０２と、操作部２０３と、表示部２０４と、音声出力部２０５と、撮像部２０６と、加速度センサ２０７と、地磁気センサ２０８と、ＧＰＳ部２０９と、記憶部２１０と、中央処理部２２０とを備える。なお、携帯端末２は、通信機能を有する通信装置であればよく、例えば携帯情報端末（Personal Digital Assistant, PDA）、携帯ゲーム機、携帯音楽プレーヤ、タブレットＰＣ等でもよい。なお、本実施形態では、電子メールを、携帯端末２が作成して送信するメッセージの例として説明する。
【００３０】
第１無線通信部２０１は、主に２．１ＧＨｚ帯を感受帯域とするアンテナを含む、通信インターフェース回路を有し、携帯端末２を通信ネットワーク９に接続する。第１無線通信部２０１は、基地局８ａにより割り当てられるチャネルを介して、基地局８ａとの間でＣＤＭＡ（Code Division Multiple Access）方式等による無線信号回線を確立し、基地局８ａとの間で通信を行う。そして、第１無線通信部２０１は、基地局８ａから受信したデータを中央処理部２２０に供給する。また、第１無線通信部２０１は、中央処理部２２０から供給されたデータを基地局８ａに送信する。
【００３１】
第２無線通信部２０２は、主に２．４ＧＨｚ帯、５ＧＨｚ帯等を感受帯域とするアンテナを含む、通信インターフェース回路を有し、不図示の無線ＬＡＮ（Local Area Network）のアクセスポイントとの間でＩＥＥＥ（The Institute of Electrical and Electronics Engineers, Inc.）８０２．１１規格の無線通信方式に基づいて無線通信を行う。そして、第２無線通信部２０２は、アクセスポイントから受信したデータを中央処理部２２０に供給する。また、第２無線通信部２０２は、中央処理部２２０から供給されたデータをアクセスポイントに送信する。
【００３２】
なお、アクセスポイントは、アクセスポイントごとに一意に定められる識別情報であるＢＳＳＩＤ（Basic Service Set Identifier）を含むビーコンを一定間隔ごとにブロードキャスト配信する。これにより、携帯端末２は、アクセスポイントを認識することができる。
【００３３】
操作部２０３は、携帯端末２の操作が可能であればどのようなデバイスでもよく、例えば、タッチパネル式の入力装置、キーパッド等である。ユーザは、このデバイスを用いて、文字、数字等を入力することができる。操作部２０３は、ユーザの操作を受け付け、その操作に対応する信号を発生する。そして、発生した信号は、ユーザの指示として、中央処理部２２０に入力される。
【００３４】
表示部２０４は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２０４は、中央処理部２２０から供給される動画像データに応じた動画像、静止画像データに応じた静止画像等を表示する。
【００３５】
音声出力部２０５は、音声の出力が可能であればどのようなデバイスでもよく、例えば、スピーカである。音声出力部２０５は、中央処理部２２０から供給される音声信号に応じた音声を発する。
【００３６】
撮像部２０６は、２次元に配列され、受光した光量に応じた電気信号を出力する光電変換素子（例えば、ＣＣＤ（Charge Coupled Device）センサ、Ｃ−ＭＯＳ（Complementary Metal-Oxide-Semiconductor）など）と、その光電変換素子上に結像するための結像光学系を有するカメラである。撮像部２０６は、撮影した画像を中央処理部２２０に供給する。
【００３７】
加速度センサ２０７は、検出部の一例であり、中央処理部２２０からの要求に応じて、携帯端末２に加わる加速度を３軸方向毎に検出し、検出した加速度を携帯端末２の移動に係るデータとして出力する。加速度センサ２０７は、例えば、ピエゾ抵抗効果を利用したピエゾ抵抗型の３軸加速度センサ、又は静電容量の変化を利用した静電容量型の３軸加速度センサとすることができる。なお、加速度センサの代わりに、携帯端末２の回転角速度を検出するジャイロセンサを利用し、加速度の代わりに回転角速度を携帯端末２の移動に係るデータとして出力してもよい。
【００３８】
地磁気センサ２０８は、検出部の一例であり、中央処理部２２０からの要求に応じて、携帯端末２の向きの方位及び磁気の大きさを検出し、検出した方位及び磁気の大きさを携帯端末２の移動に係るデータとして出力する。
【００３９】
ＧＰＳ部２０９は、位置検出部の一例であり、主に１．５ＧＨｚ帯を感受帯域とするアンテナを含む、ＧＰＳ回路を有し、不図示のＧＰＳ衛星からＧＰＳ信号を受信する。ＧＰＳ部２０９は、そのＧＰＳ信号をデコードし、時刻情報等を取得する。そして、ＧＰＳ部２０９は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出し、位置情報として出力する。
【００４０】
記憶部２１０は、例えば、半導体メモリを有する。記憶部２１０は、中央処理部２２０での処理に用いられるドライバプログラム、オペレーティングシステムプログラム、アプリケーションプログラム、データ等を記憶する。例えば、記憶部２１０は、ドライバプログラムとして、第１無線通信部２０１を制御する携帯電話通信デバイスドライバプログラム、第２無線通信部２０２を制御する無線ＬＡＮ通信デバイスドライバプログラム、操作部２０３を制御する入力デバイスドライバプログラム、表示部２０４を制御する出力デバイスドライバプログラム等を記憶する。また、記憶部２１０は、オペレーティングシステムプログラムとして、ＩＥＥＥ８０２．１１規格の無線通信方式を実行する接続制御プログラム、携帯電話の接続制御プログラム等を記憶する。また、記憶部２１０は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２１０にインストールされてもよい。また、記憶部２１０は、データとして、電話帳に登録された連絡先を管理する連絡先管理テーブル（図２（ｂ））、電子メールを作成する際に利用される定型文を管理する定型文管理テーブル（図２（ｃ））等を記憶する。さらに、記憶部２１０は、所定の処理に係る一時的なデータを一時的に記憶してもよい。
【００４１】
図２（ｂ）は、連絡先管理テーブルのデータ構造の一例を示す図である。
【００４２】
図２（ｂ）には、連絡先管理テーブルが示されている。連絡先管理テーブルには、電話帳に登録された各連絡先について、当該連絡先の識別番号（連絡先ＩＤ）、名前、ふりがな、所属するグループ、電話番号、メールアドレス等が記憶される。電話番号はＳＭＳのメッセージの宛先であり、メールアドレスは電子メールの宛先である。なお、連絡先管理テーブルには、一つの連絡先に対して複数の電話番号、メールアドレス等が記憶されてもよい。所属するグループは、例えば、家族、会社関係、友達関係、お店等、当該連絡先と携帯端末２のユーザとの間の関係に対応するグループである。
【００４３】
図２（ｃ）は、定型文管理テーブルのデータ構造の一例を示す図である。
【００４４】
図２（ｃ）には、定型文管理テーブルが示されている。定型文管理テーブルには、電話帳に登録されたグループ毎に、携帯端末２を所持するユーザの複数の利用シーンが記憶される。また、定型文管理テーブルには、複数の利用シーンのそれぞれに対応した、電子メールの件名に係る複数の定型文が記憶され、各件名に対応した、電子メールの本文に係る複数の定型文が記憶される。利用シーンの詳細については、後述する。
【００４５】
中央処理部２２０は、一又は複数個のプロセッサ及びその周辺回路を有する。中央処理部２２０は、携帯端末２の全体的な動作を統括的に制御するものであり、例えば、ＣＰＵ（Central Processing Unit）である。中央処理部２２０は、携帯端末２の各種処理が記憶部２１０に記憶されているプログラム、操作部２０３の操作、加速度センサ２０７、地磁気センサ２０８及びＧＰＳ部２０９からの出力等に応じて適切な手順で実行されるように、第１無線通信部２０１、第２無線通信部２０２、表示部２０４、音声出力部２０５、撮像部２０６等の動作を制御する。中央処理部２２０は、記憶部２１０に記憶されているプログラム（ドライバプログラム、オペレーティングシステムプログラム、アプリケーションプログラム等）に基づいて処理を実行する。また、中央処理部２２０は、複数のプログラム（アプリケーションプログラム等）を並列に実行することができる。
【００４６】
中央処理部２２０は、更新部２２１と、情報取得部２２２と、利用シーン決定部２２３と、メッセージ作成部２２４と、メッセージ送信部２２５を有する。中央処理部２２０が有するこれらの各部は、中央処理部２２０が有するプロセッサ上で実行されるプログラムによって実装される機能モジュールである。あるいは、中央処理部２２０が有するこれらの各部は、独立した集積回路、マイクロプロセッサ、又はファームウェアとして携帯端末２に実装されてもよい。
【００４７】
図３は、中央処理部２２０による携帯端末２の設定処理の動作フローの一例を示す図である。なお、以下に説明する動作フローは、予め記憶部２１０に記憶されているプログラムに基づいて、主に中央処理部２２０により、携帯端末２の各要素と協働して実行される。
【００４８】
最初に、更新部２２１は、第１無線通信部２０１を介してＳＭＳ送信サーバ６から、携帯端末２への設定要求があったことを通知する設定通知を受信するまで待機する（ステップＳ１０１）。
【００４９】
後述するように、管理端末３は、携帯端末２の設定を行うことができる。管理端末３は、携帯端末２への設定を行う場合、携帯端末２への設定要求を管理サーバ４へ送信する。管理サーバ４は、管理端末３から、携帯端末２への設定要求を受信すると、設定通知を生成してＳＭＳ生成サーバ５に送信する。ＳＭＳ生成サーバ５は、受信した設定通知をＳＭＴＰのプロトコルに従って電子メールとしてＳＭＳ送信サーバ６に送信し、ＳＭＳ送信サーバ６は、受信した設定通知をＳＭＳのメッセージとして携帯端末２に送信する。
【００５０】
設定通知には、設定要求がなされた旨、設定要求がなされた設定機能、及び、設定項目が格納された領域へアクセスするためのＵＲＬ（Uniform Resource Locator）等が含まれる。設定機能は、管理端末３により特定の項目が設定される機能であり、例えば「電話帳の編集」、「定型文の設定」等である。設定項目は、設定機能について、管理端末３により設定される項目である。設定機能が「電話帳の編集」である場合、設定項目は、編集される連絡先ＩＤ、名前、ふりがな、グループ、電話番号、メールアドレス等である。また、設定機能が「定型文の設定」である場合、設定項目は、グループ及び利用シーンに対応した、電子メールの件名に係る定型文、本文に係る定型文等である。ＵＲＬには、管理サーバ４のアドレス、並びに、管理端末３により指定された各設定項目が格納されたフォルダ名及びファイル名が示される。
【００５１】
次に、更新部２２１は、第１無線通信部２０１を介してＳＭＳ送信サーバ６から設定通知を受信すると（ステップＳ１０１−Ｙｅｓ）、第１無線通信部２０１を介して管理サーバ４へ、設定項目の取得を要求する設定取得要求を送信する。そして、更新部２２１は、第１無線通信部２０１を介して管理サーバ４から、設定取得要求に対する応答である設定取得応答を受信することにより、設定項目を取得する（ステップＳ１０２）。
【００５２】
更新部２２１は、例えば、ＨＴＴＰ（Hypertext Transfer Protocol）のプロトコルに従って、設定通知に含まれるＵＲＬにアクセスすることにより設定項目を取得する。
【００５３】
次に、更新部２２１は、設定通知に含まれる設定機能について、取得した設定項目を設定し（ステップＳ１０３）、一連のステップを終了する。
【００５４】
更新部２２１は、例えば、設定機能が「電話帳の編集」である場合、記憶部２１０の連絡先管理テーブルに、設定項目において指定された連絡先ＩＤ、名前、ふりがな、グループ、電話番号、メールアドレス等を記憶する。また、更新部２２１は、設定機能が「定型文の設定」である場合、記憶部２１０の定型文管理テーブルに、設定項目において指定されたグループ及び利用シーンに対応した、電子メールの件名に係る定型文、本文に係る定型文等を記憶する。
【００５５】
このように、管理サーバ４は、設定通知をＳＭＳ生成サーバ５及びＳＭＳ送信サーバ６を介してＳＭＳのメッセージとして携帯端末２に送信することにより、携帯端末２にＨＴＴＰサーバ機能等を実装することなく、管理端末３から設定要求を受信した旨を携帯端末２にリアルタイムに通知することができる。また、携帯端末２は、ＨＴＴＰのプロトコルに従って設定項目を管理サーバ４から取得することにより、ＳＭＳのメッセージで送信することが困難な大容量の設定項目を取得することができる。上記機能は、管理サーバ４がＨＴＴＰサーバ機能を有していれば実現可能であり、携帯端末２にＨＴＴＰサーバ機能等を実装する必要がないため、携帯端末２の開発規模を高めることなく実現することができる。
【００５６】
図４は、中央処理部２２０によるメール作成処理の動作フローの一例を示す図である。なお、以下に説明する動作フローは、予め記憶部２１０に記憶されているプログラムに基づいて、主に中央処理部２２０により、携帯端末２の各要素と協働して実行される。この動作フローは、ユーザにより操作部２０３を用いて電子メールの作成及び送信が指示された場合に実行される。
【００５７】
最初に、情報取得部２２２は、宛先選択画面を表示部２０４に表示する（ステップＳ２０１）。
【００５８】
図５（ａ）〜（ｄ）、図６（ａ）〜（ｂ）は、メール作成処理に用いられる各画面の一例を示す図である。
【００５９】
図５（ａ）は、宛先選択画面の一例を示す。図５（ａ）に示すように、宛先選択画面５００には、「宛先を選択する」ボタン５０１と、メール作成処理を終了するための終了ボタン５０２が表示される。
【００６０】
次に、情報取得部２２２は、操作部２０３を用いてユーザにより「宛先を選択する」ボタン５０１がタップされると、表示部２０４に、連絡先管理テーブルに登録された、電子メールの宛先であるメールアドレスを選択可能に表示する。情報取得部２２２は、操作部２０３を用いてユーザにより、電子メールの宛先が選択されると、選択された宛先を取得する（ステップＳ２０２）。
【００６１】
次に、情報取得部２２２は、シーン選択画面を表示部２０４に表示する（ステップＳ２０３）。
【００６２】
図５（ｂ）は、シーン選択画面の一例を示す。図５（ｂ）に示すように、シーン選択画面５１０には、取得した宛先５１１と、利用シーンの選択ボタン５１２〜５１８と、宛先選択画面に戻るための「戻る」ボタン５１９が表示される。利用シーンは、携帯端末２を携帯するユーザの現在の状況であり、「これから出発」、「乗車中」、「駅・バス停に到着」、「電車・バスに乗車」、「電車遅延」、「到着／帰宅が遅れる」及び「お休みする」等を含む。
【００６３】
情報取得部２２２は、記憶部２１０に記憶された連絡先管理テーブルから、取得した宛先のグループを特定する。さらに、情報取得部２２２は、記憶部２１０に記憶された定型文管理テーブルから、特定したグループに対応する複数の利用シーンを読み出し、読み出した複数の利用シーンをシーン選択画面に選択可能に表示する。
【００６４】
次に、情報取得部２２２は、操作部２０３を用いてユーザにより、各利用シーンの選択ボタン５１２〜５１８のうちの何れかのボタンが選択されると、選択されたボタンに対応する利用シーンを取得する。利用シーン決定部２２３は、情報取得部２２２が取得した利用シーンを、現在の利用シーンに決定する（ステップＳ２０４）。つまり、利用シーン決定部２２３は、操作部２０３による操作入力に基づいて、利用シーンを決定する。
【００６５】
次に、情報取得部２２２は、表示部２０４に件名選択画面を表示する（ステップＳ２０５）。
【００６６】
図５（ｃ）は、件名選択画面の一例を示す。図５（ｃ）に示すように、件名選択画面５２０には、情報取得部２２２が取得した宛先５２１及び利用シーン決定部２２３が決定した現在の利用シーン５２２と、現在の利用シーンに対応する件名の選択ボタン５２３〜５２４と、シーン選択画面に戻るための「戻る」ボタン５２５が表示される。
【００６７】
情報取得部２２２は、記憶部２１０に記憶された定型文管理テーブルから、情報取得部２２２が取得した宛先のグループ及び利用シーン決定部２２３が決定した利用シーンに対応した件名に係る複数の定型文を読み出し、件名選択画面に選択可能に表示する。
【００６８】
次に、情報取得部２２２は、操作部２０３を用いてユーザにより、件名の選択ボタン５２３〜５２４のうちの何れかのボタンが選択されると、選択されたボタンに対応する件名に係る定型文を取得する（ステップＳ２０６）。すなわち、操作部２０３が、表示部２０４に選択可能に表示された定型文を選択し、情報取得部２２２は、選択された定型文を取得する。
【００６９】
次に、情報取得部２２２は、本文選択画面を表示部２０４に表示する（ステップＳ２０７）。
【００７０】
図５（ｄ）は、本文選択画面の一例を示す。図５（ｄ）に示すように、本文選択画面５３０には、情報取得部２２２が取得した宛先５３１、利用シーン決定部２２３が決定した現在の利用シーン５３２及び情報取得部２２２が取得した件名５３３と、取得した件名に対応する本文の選択ボタン５３４〜５３５と、件名選択画面に戻るための「戻る」ボタン５３６が表示される。
【００７１】
情報取得部２２２は、記憶部２１０に記憶された定型文管理テーブルから、情報取得部２２２が取得した宛先のグループ、利用シーン決定部２２３が決定した利用シーン及び情報取得部２２２が取得した件名に対応した本文に係る複数の定型文を読み出し、本文選択画面に選択可能に表示する。
【００７２】
次に、情報取得部２２２は、操作部２０３を用いてユーザにより、本文の選択ボタン５３４〜５３５のうちの何れかのボタンが選択されると、選択されたボタンに対応する本文に係る定型文を取得する（ステップＳ２０８）。すなわち、操作部２０３が、表示部２０４に選択可能に表示された定型文を選択し、情報取得部２２２は、選択された定型文を取得する。
【００７３】
次に、メッセージ作成部２２４は、取得した宛先、件名に係る定型文及び本文に係る定型文を含む電子メールを作成する（ステップＳ２０９）。
【００７４】
次に、メッセージ送信部２２５は、メール送信画面を表示部２０４に表示する（ステップＳ２１０）。
【００７５】
図６（ａ）は、メール送信画面の一例を示す。図６（ａ）に示すように、メール送信画面６００には、取得した宛先６０１、利用シーン６０２、件名６０３及び本文６０４と、メール送信ボタン６０５と、本文選択画面に戻るための「戻る」ボタン６０６が表示される。
【００７６】
次に、メッセージ送信部２２５は、操作部２０３を用いてユーザによりメール送信ボタン６０５がタップされると、電子メールの送信指示を受け付ける（ステップＳ２１１）。
【００７７】
次に、メッセージ送信部２２５は、メッセージ作成部２２４が作成した電子メールを第１無線通信部２０１を介して送信する（ステップＳ２１２）。
【００７８】
次に、メッセージ送信部２２５は、送信完了画面を表示部２０４に表示し（ステップＳ２１３）、一連のステップを終了する。
【００７９】
図６（ｂ）は、送信完了画面の一例を示す。図６（ｂ）に示すように、送信完了画面６１０には、電子メールの送信が完了した旨６１１と、メール作成処理を終了するための終了ボタン６１２が表示される。
【００８０】
なお、記憶部２１０は、定型文管理テーブルにおいて、グループ毎に、各利用シーンに対応した定型文を記憶するのではなく、電子メールの宛先毎に、又は連絡先毎に、各利用シーンに対応した定型文を記憶してもよい。その場合、情報取得部２２２は、件名選択画面及び本文選択画面において、取得した宛先又はその宛先に係る連絡先及び利用シーンに対応する件名及び本文に係る複数の定型文を選択可能に表示する。宛先又は連絡先毎に定型文を変更することにより、ユーザは、宛先又は連絡先毎に適切な電子メールを作成することができる。
【００８１】
または、記憶部２１０は、定型文管理テーブルにおいて、全ての宛先について共通の定型文を記憶してもよい。その場合、情報取得部２２２は、件名選択画面及び本文選択画面において、取得した宛先に関わらず、共通の件名及び本文に係る複数の定型文を選択可能に表示する。これにより、件名及び本文に係る定型文をより簡易に設定することができる。
【００８２】
また、情報取得部２２２は、ステップＳ２０６において件名を取得すると、ステップＳ２０７〜Ｓ２０８の処理を省略し、自動的に本文を決定してもよい。その場合、携帯端末２は、定型文管理テーブルにおいて、件名毎に一つの本文に係る定型文を対応付けて記憶しておく。情報取得部２２２は、ステップＳ２０６において件名を取得すると、取得した件名に対応付けられた本文を定型文管理テーブルから読み出して取得する。これにより、ユーザはより容易に電子メールを作成することができる。
【００８３】
また、メッセージ作成部２２４は、定型文を用いて作成した電子メールについて、操作部２０３を用いたユーザの文字入力による編集をさらに受け付けてもよい。また、メッセージ作成部２２４は、定型文の一部を空白にしておき、その空白部分について、ユーザの文字入力を受け付けてもよい。これらにより、ユーザは、定型文が書かれた電子メールに文章、単語等を追加することができ、柔軟に電子メールを編集することができる。
【００８４】
また、この場合、メッセージ作成部２２４は、電子メールの宛先、連絡先又はグループ毎に、過去に送信した電子メールの少なくとも一部を利用シーンに対応した定型文として記憶部２１０の定型文管理テーブルに記憶してもよい。その場合、メッセージ作成部２２４は、メッセージ送信部２２５が電子メールを送信した後に、送信した電子メールから、まだ定型文として登録されていない文章を抽出し、抽出した文章を、電子メールの宛先、連絡先又はグループ及び利用シーンに対応した定型文として定型文管理テーブルに追加する。これにより、ユーザは、電子メールの宛先、連絡先又はグループ及び利用シーン毎に、頻繁に利用する文章を効率良く再利用することができる。
【００８５】
さらに、操作部２０３を用いたユーザの文字入力を受け付ける場合、メッセージ作成部２２４は、電子メールの編集に用いる、日本語入力・かな漢字変換用の変換履歴及び変換辞書を宛先、連絡先もしくはグループ及び／又は利用シーン毎に変更してもよい。その場合、記憶部２１０は、電子メールの宛先、連絡先もしくはグループ及び／又は利用シーン毎に変換履歴及び変換辞書を記憶する。メッセージ送信部２２５は、電子メールの宛先、連絡先もしくはグループ及び／又は利用シーン毎に、対応する変換履歴及び変換辞書により日本語入力・かな漢字変換を行って電子メールを編集する。
【００８６】
例えば、電子メールの宛先が会社である場合、最初に「ほ」が入力されると、「本日の勤怠」、「報告」等の、会社において頻繁に使用される単語が優先的に選択される。また、その宛先への過去の電子メールにおいて「北海道出張」と変換したことがある場合は、「北海道出張」が優先的に選択される。また、利用シーンが「乗車中」である場合に、最初に「ち」が入力されると、「遅延」、「直帰」等の、「乗車中」において頻繁に使用される単語が優先的に選択される。また、利用シーンが「乗車中」である場合に送信された過去の電子メールにおいて「千葉出張」と変換したことがある場合は、「千葉出張」が優先的に選択される。これらにより、ユーザは、より効率良く電子メールを作成することができる。
【００８７】
図７（ａ）は、管理端末３の概略構成の一例を示す図である。
【００８８】
管理端末３は、携帯端末２と同様に、通信装置の一例であり、例えば多機能携帯電話であり、無線通信ネットワークへの接続、携帯端末２への各種設定、所定のアプリケーションプログラムの実行等を可能とする。そのために、管理端末３は、第１無線通信部３０１と、第２無線通信部３０２と、操作部３０３と、表示部３０４と、音声出力部３０５と、撮像部３０６と、加速度センサ３０７と、地磁気センサ３０８と、ＧＰＳ部３０９と、記憶部３１０と、中央処理部３２０とを備える。なお、管理端末３は、通信機能を有する通信装置であればよく、例えば携帯情報端末、携帯ゲーム機、携帯音楽プレーヤ、タブレットＰＣ等でもよい。
【００８９】
第１無線通信部３０１、第２無線通信部３０２、操作部３０３、表示部３０４、音声出力部３０５、撮像部３０６、加速度センサ３０７、地磁気センサ３０８、ＧＰＳ部３０９及び記憶部３１０は、携帯端末２の第１無線通信部２０１、第２無線通信部２０２、操作部２０３、表示部２０４、音声出力部２０５、撮像部２０６、加速度センサ２０７、地磁気センサ２０８、ＧＰＳ部２０９及び記憶部２１０と同様であるため、説明を省略する。
【００９０】
ただし、記憶部３１０は、データとして、管理端末３から各種の設定をすることが可能な携帯端末２を管理する被管理端末管理テーブル（図７（ｂ））等を記憶する。
【００９１】
図７（ｂ）は、被管理端末管理テーブルのデータ構造の一例を示す図である。
【００９２】
図７（ｂ）には、被管理端末管理テーブルが示されている。被管理端末管理テーブルは、管理端末３から各種の設定をすることが可能な各携帯端末２について、当該携帯端末２の識別番号（被管理端末ＩＤ）、被管理者の名前（例えば、父）、電話番号、メールアドレス等が記憶される。
【００９３】
中央処理部３２０は、携帯端末２の中央処理部２２０と同様に、管理端末３の全体的な動作を統括的に制御するものであり、例えば、ＣＰＵである。
【００９４】
中央処理部３２０は、設定要求部３２１を有する。設定要求部３２１は、中央処理部２２０が有するプロセッサ上で実行されるプログラムによって実装される機能モジュールである。あるいは、設定要求部３２１は、独立した集積回路、マイクロプロセッサ、又はファームウェアとして管理端末３に実装されてもよい。
【００９５】
図８は、中央処理部３２０による携帯端末２の設定処理の動作フローの一例を示す図である。なお、以下に説明する動作フローは、予め記憶部３１０に記憶されているプログラムに基づいて、主に中央処理部３２０により、管理端末３の各要素と協働して実行される。
【００９６】
最初に、設定要求部３２１は、端末選択画面を表示部３０４に表示する（ステップＳ３０１）。
【００９７】
図９（ａ）〜（ｄ）は、携帯端末２の設定処理に用いられる各画面の一例を示す図である。
【００９８】
図９（ａ）は、端末選択画面の一例を示す。図９（ａ）に示すように、端末選択画面９００には、管理端末３から各種の設定をすることが可能な携帯端末２毎に、当該携帯端末２のユーザ（被管理者）の名前、電話番号、メールアドレス等の情報９０１が表示される。また、端末選択画面９００には、設定処理を終了するための終了ボタン９０２が表示される。
【００９９】
次に、設定要求部３２１は、操作部２０３を用いた管理者による設定対象とする携帯端末２の指定を受け付ける（ステップＳ３０２）。
【０１００】
次に、設定要求部３２１は、機能選択画面を表示部３０４に表示する（ステップＳ３０３）。
【０１０１】
図９（ｂ）は、機能選択画面の一例を示す。図９（ｂ）に示すように、機能選択画面９１０には、管理端末３が設定することが可能な機能の一覧９１１が表示される。また、機能選択画面９１０には、端末選択画面に戻るための「戻る」ボタン９１２が表示される。
【０１０２】
次に、設定要求部３２１は、操作部２０３を用いた管理者による設定対象とする携帯端末２の機能の指定を受け付ける（ステップＳ３０４）。
【０１０３】
次に、設定要求部３２１は、詳細設定画面を表示部３０４に表示する（ステップＳ３０５）。
【０１０４】
図９（ｃ）は、「電話帳の編集」の詳細設定画面の一例を示す。図９（ｃ）に示すように、「電話帳の編集」の詳細設定画面９２０には、連絡先ごとに、名前、ふりがな、電話番号及びメールアドレス等の設定項目９２１が指定可能に表示される。また、詳細設定画面９２０には、設定ボタン９２２と、機能選択画面に戻るための「戻る」ボタン９２３とが表示される。
【０１０５】
図９（ｄ）は、「定型文の設定」の詳細設定画面の一例を示す。図９（ｄ）に示すように、「定型文の設定」の詳細設定画面９３０には、グループ９３１、利用シーン９３２、件名９３３、及び本文９３４が指定可能に表示される。また、詳細設定画面９３０には、設定ボタン９３５と、機能選択画面に戻るための「戻る」ボタン９３６とが表示される。
【０１０６】
なお、設定要求部３２１は、第１無線通信部３０１を介して管理サーバ４から、管理サーバ４が記憶している、携帯端末２に現在設定されている各設定機能の設定項目を取得して、取得した設定項目を詳細設定画面に表示してもよい。これにより、ユーザは携帯端末２に現在設定されている設定項目を参照しながら、設定項目を指定することができる。
【０１０７】
例えば、「定型文の設定」の詳細設定画面において、設定要求部３２１は、第１無線通信部３０１を介して管理サーバ４から、携帯端末２に現在設定されている全てのグループ及び利用シーンを取得し、グループ９３１及び利用シーン９３２については、取得したグループ及び利用シーンの中から選択可能に表示する。一方、設定要求部３２１は、件名９３３及び本文９３４については、ユーザが直接入力可能に表示する。
【０１０８】
次に、設定要求部３２１は、操作部２０３を用いた管理者による設定項目の指定を受け付ける（ステップＳ３０６）。設定要求部３２１は、操作部２０３を用いて管理者により、設定項目が指定され、設定ボタンがタップされると、指定された設定項目を受け付ける。
【０１０９】
次に、設定要求部３２１は、詳細設定の指定を受け付けると、第１無線通信部３０１を介して管理サーバ４へ設定要求を送信する（ステップＳ３０７）。設定要求には、携帯端末２の被管理端末ＩＤ、管理端末３の管理端末ＩＤ、ステップＳ３０４で受け付けた設定機能、ステップＳ３０６で受け付けた設定項目等が含まれる。
【０１１０】
次に、設定要求部３２１は、第１無線通信部３０１を介して管理サーバ４から設定応答を受信するまで待機する（ステップＳ３０８）。
【０１１１】
次に、設定要求部３２１は、第１無線通信部３０１を介して管理サーバ４から設定応答を受信すると（ステップＳ３０８−Ｙｅｓ）、受信した設定応答に示される結果を表示部３０４に表示し（ステップＳ３０９）、一連のステップを終了する。
【０１１２】
図１０（ａ）は、管理サーバ４の概略構成の一例を示す図である。
【０１１３】
管理サーバ４は、通信装置の一例であり、携帯端末２に利用シーンに対応した定型文を設定することが可能な管理端末３を管理するサーバである。管理サーバ４は、管理端末３から携帯端末２への設定要求を受信し、受信した設定要求が正しいか否かを判定して、ＳＭＳ生成サーバ５及びＳＭＳ送信サーバ６を介して携帯端末２へ設定通知を送信する。そのために、管理サーバ４は、サーバ通信部４０１と、サーバ記憶部４０２と、サーバ処理部４１０とを備える。
【０１１４】
サーバ通信部４０１は、イーサネット（登録商標）などの有線の通信インターフェース回路を有する。サーバ通信部４０１は、通信ネットワーク９を介して携帯端末２、管理端末３、ＳＭＳ生成サーバ５等と通信を行う。そして、サーバ通信部４０１は、携帯端末２、管理端末３、ＳＭＳ生成サーバ５等から受信したデータをサーバ処理部４１０に供給する。また、サーバ通信部４０１は、サーバ処理部４１０から供給されたデータを携帯端末２、管理端末３、ＳＭＳ生成サーバ５等に送信する。
【０１１５】
サーバ記憶部４０２は、例えば、半導体メモリ、磁気ディスク装置、及び光ディスク装置のうちの少なくともいずれか一つを有する。サーバ記憶部４０２は、サーバ処理部４１０による処理に用いられるドライバプログラム、オペレーティングシステムプログラム、アプリケーションプログラム、データ等を記憶する。例えば、サーバ記憶部４０２は、ドライバプログラムとして、サーバ通信部４０１を制御する通信デバイスドライバプログラム等を記憶する。また、サーバ記憶部４０２は、オペレーティングシステムプログラムとして、ＴＣＰ／ＩＰ（Transmission Control Protocol / Internet Protocol）等の通信方式による接続制御プログラム等を記憶する。また、サーバ記憶部４０２は、アプリケーションプログラムとして、各種データの送受信を行うととともに、管理端末３から受信した設定要求が正しいか否かを判定するデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部４０２にインストールされてもよい。また、サーバ記憶部４０２は、データとして、各携帯端末２に対して各種の設定をすることが可能な各管理端末３を管理する端末管理テーブル（図１０（ｂ））、管理端末３から携帯端末２への設定要求で指定された設定機能及び設定項目（例えば、グループ及び利用シーンに対応した定型文、電話帳等）等を記憶する。また、サーバ記憶部４０２は、所定の処理に係る一時的なデータを一時的に記憶する。
【０１１６】
図１０（ｂ）は、端末管理テーブルのデータ構造の一例を示す図である。
【０１１７】
図１０（ｂ）には、端末管理テーブルが示されている。端末管理テーブルは、設定可能な組合せ毎に、被管理端末である携帯端末２の識別番号（被管理端末ＩＤ）、管理端末３の識別番号（管理端末ＩＤ）、管理者の名前、電話番号、メールアドレス等が記憶される。
【０１１８】
サーバ処理部４１０は、一又は複数個のプロセッサ及びその周辺回路を有する。サーバ処理部４１０は、管理サーバ４の全体的な動作を統括的に制御するものであり、例えば、ＣＰＵである。サーバ処理部４１０は、管理サーバ４の各種処理がサーバ記憶部４０２に記憶されているプログラム等に応じて適切な手順で実行されるように、サーバ通信部４０１等の動作を制御する。サーバ処理部４１０は、サーバ記憶部４０２に記憶されているプログラム（ドライバプログラム、オペレーティングシステムプログラム、アプリケーションプログラム等）に基づいて処理を実行する。また、サーバ処理部４１０は、複数のプログラム（アプリケーションプログラム等）を並列に実行することができる。
【０１１９】
サーバ処理部４１０は、設定管理部４１１を有する。設定管理部４１１は、サーバ処理部４１０が有するプロセッサ上で実行されるプログラムによって実装される機能モジュールである。あるいは、設定管理部４１１は、独立した集積回路、マイクロプロセッサ、又はファームウェアとして管理サーバ４に実装されてもよい。
【０１２０】
図１１は、サーバ処理部４１０による携帯端末２の設定処理の動作フローの一例を示す図である。なお、以下に説明する動作フローは、予めサーバ記憶部４０２に記憶されているプログラムに基づいて、主にサーバ処理部４１０により、管理サーバ４の各要素と協働して実行される。
【０１２１】
最初に、設定管理部４１１は、サーバ通信部４０１を介して管理端末３から、携帯端末２への設定を要求する設定要求を受信するまで待機する（ステップＳ４０１）。
【０１２２】
次に、設定管理部４１１は、サーバ通信部４０１を介して管理端末３から設定要求を受信すると（ステップＳ４０１−Ｙｅｓ）、受信した設定要求に含まれる被管理端末ＩＤ及び管理端末ＩＤがサーバ記憶部４０２の端末管理テーブルに対応付けて登録された被管理端末ＩＤ及び管理端末ＩＤと一致するか否かを判定する（ステップＳ４０２）。
【０１２３】
次に、設定管理部４１１は、受信した設定要求に含まれる被管理端末ＩＤ及び管理端末ＩＤが端末管理テーブルに対応付けて登録された被管理端末ＩＤ及び管理端末ＩＤと一致しない場合（ステップＳ４０２−Ｎｏ）、設定拒否を示す設定応答をサーバ通信部４０１を介して管理端末３に送信し（ステップＳ４０３）、一連のステップを終了する。
【０１２４】
一方、設定管理部４１１は、受信した設定要求に含まれる被管理端末ＩＤ及び管理端末ＩＤが端末管理テーブルに対応付けて登録された被管理端末ＩＤ及び管理端末ＩＤと一致する場合（ステップＳ４０２−Ｙｅｓ）、受信した設定要求に含まれる設定機能及び設定項目をサーバ記憶部４０２に記憶する（ステップＳ４０４）。
【０１２５】
次に、設定管理部４１１は、設定許可を示す設定応答をサーバ通信部４０１を介して管理端末３に送信する（ステップＳ４０５）。
【０１２６】
次に、設定管理部４１１は、設定通知をサーバ通信部４０１を介してＳＭＳ生成サーバ５に送信する（ステップＳ４０６）。設定通知には、設定要求があった旨、設定要求に含まれる設定機能、設定項目が格納された領域へアクセスするためのＵＲＬ等が含まれる。
【０１２７】
次に、設定管理部４１１は、サーバ通信部４０１を介して携帯端末２から、設定取得要求を受信するまで待機する（ステップＳ４０７）。
【０１２８】
次に、設定管理部４１１は、サーバ通信部４０１を介して携帯端末２から設定取得要求を受信すると（ステップＳ４０５−Ｙｅｓ）、サーバ記憶部４０２に記憶しておいた設定項目を含む設定取得応答をサーバ通信部４０１を介して携帯端末２に送信し（ステップＳ４０８）、一連のステップを終了する。
【０１２９】
なお、サーバ記憶部４０２は、設定管理部４１１が携帯端末２に設定項目を送信した後も、対応する設定機能及び設定項目を、携帯端末２に現在設定されている設定機能及び設定項目として記憶し続ける。
【０１３０】
以上説明してきたように、携帯端末２は、複数の利用シーンのそれぞれに対応した定型文を記憶し、ユーザが電子メールを作成する際、複数の利用シーンを選択可能に表示する。さらに、携帯端末２は、ユーザにより選択された利用シーンに対応する定型文を選択可能に表示し、ユーザにより選択された定型文を用いて電子メールを作成する。これにより、携帯端末２を利用するユーザは、電子メールを容易且つ適切に作成することが可能となる。
【０１３１】
また、携帯端末２は、定型文管理テーブルにおいて、電子メールの宛先、連絡先又はグループ毎に、利用シーンに対応した件名及び本文に係る定型文を登録することにより、宛先に応じた適切な定型文を選択可能に表示することができる。これにより、ユーザは、宛先に応じた適切な定型文を含む電子メールを作成することが可能となる。
【０１３２】
また、携帯端末２の各機能について、管理端末３からの保護者による設定が可能となり、携帯端末２のユーザが使用にあたり支援が必要な者であっても、携帯端末２を容易に利用することが可能となる。
【０１３３】
（第２の実施形態）
本実施形態では、携帯端末は、携帯端末が移動しているか否かを示す移動情報に基づいて、利用シーンを決定する。
【０１３４】
本実施形態に従った通信システムは、図１に示した通信システム１と同様であり、本実施形態に従った管理端末及び管理サーバは、図７に示した管理端末３及び図１０に示した管理サーバ４と同様であるため、説明を省略する。なお、本実施形態では、携帯端末を携帯端末１２として説明する。
【０１３５】
図１２は、本実施形態に従った携帯端末１２の概略構成の一例を示す図である。
【０１３６】
携帯端末１２と第１の実施形態に従った携帯端末２との差異は、携帯端末１２が、携帯端末２が備える中央処理部２２０の代わりに、中央処理部２３０を備える点である。中央処理部２３０は、中央処理部２２０が備える各部に加えて移動情報生成部２３１を備え、利用シーン決定部２２３の代わりに利用シーン決定部２３２を備える。
【０１３７】
また、携帯端末１２の記憶部２１０は、データとして、携帯端末２の記憶部２１０が記憶するデータに加えて、携帯端末１２が移動しているか否かを示す移動情報、及びその移動情報に対応する時間を示す時間情報を記憶する。また、記憶部２１０に記憶される定型文管理テーブルには、「これから出発」、「乗車中」、「駅・バス停に到着」及び「電車・バスに乗車」等の、携帯端末１２を携帯するユーザの移動に関する利用シーンのみが記憶されているものとする。
【０１３８】
中央処理部２３０は、図３及び図４に示した動作フローに従って動作する。但し、図４に示した動作フローのステップＳ２０３及びＳ２０４において、利用シーン決定部２３２は、操作部２０３による操作入力に基づいて利用シーンを決定する代わりに、移動情報に基づいて利用シーンを決定する利用シーン決定処理を実行する。
【０１３９】
図１３は、利用シーン決定処理の動作フローの一例を示すフローチャートである。
【０１４０】
図１３に示す動作のフローは、図４に示すフローチャートのステップＳ２０３及びＳ２０４の代わりに実行される。
【０１４１】
最初に、移動情報生成部２３１は、加速度センサ２０７及び地磁気センサ２０８から出力された、携帯端末１２の移動に係るデータを取得する（ステップＳ５０１）。
【０１４２】
次に、移動情報生成部２３１は、加速度センサ２０７が出力した加速度が第１閾値以上であるか否かを判定する（ステップＳ５０２）。第１閾値は、事前の実験により、携帯端末１２を携帯するユーザが移動していない状態で得られる加速度の平均値と、携帯端末１２を携帯するユーザが移動している状態で得られる加速度の平均値との中間値に定められる。
【０１４３】
なお、移動情報生成部２３１は、所定時間（例えば１秒）内に加速度センサ２０７が出力した加速度の平均値が第１閾値以上であるか否かを判定してもよい。これにより、携帯端末１２が移動中であるか否かの判定精度を向上させることが可能となる。
【０１４４】
移動情報生成部２３１は、加速度センサ２０７が出力した加速度が第１閾値未満である場合（ステップＳ５０２−Ｎｏ）、携帯端末１２は移動中でないと判定し（ステップＳ５０３）、処理をステップＳ５０８へ移行する。
【０１４５】
一方、移動情報生成部２３１は、加速度センサ２０７が出力した加速度が第１閾値以上である場合（ステップＳ５０２−Ｙｅｓ）、携帯端末１２は移動中であると判定する（ステップＳ５０４）。
【０１４６】
次に、移動情報生成部２３１は、地磁気センサ２０８が出力した磁気の大きさが第２閾値以上であるか否かを判定する（ステップＳ５０５）。第２閾値は、事前の実験により、携帯端末１２を携帯するユーザが電車、バス等の乗り物に乗っている状態で得られる加速度の平均値と、携帯端末１２を携帯するユーザが乗り物に乗っていない状態で得られる加速度の平均値との中間値に定められる。
【０１４７】
なお、移動情報生成部２３１は、所定時間（例えば１秒）内に地磁気センサ２０８が出力した磁気の大きさの平均値が第２閾値以上であるか否かを判定してもよい。これにより、携帯端末１２を携帯するユーザが歩行しているか乗り物で移動しているかの判定精度を向上させることが可能となる。
【０１４８】
次に、移動情報生成部２３１は、地磁気センサ２０８が出力した磁気の大きさが第２閾値未満である場合（ステップＳ５０５−Ｎｏ）、携帯端末１２を携帯するユーザは歩行中であると判定し（ステップＳ５０６）、処理をステップＳ５０８へ移行する。
【０１４９】
一方、移動情報生成部２３１は、地磁気センサ２０８が出力した磁気の大きさが第２閾値以上である場合（ステップＳ５０５−Ｎｏ）、携帯端末１２を携帯するユーザは歩行中でなく、電車、バス等の乗り物で移動中であると判定し（ステップＳ５０７）、処理をステップＳ５０８へ移行する。
【０１５０】
このように、移動情報生成部２３１は、加速度センサ２０７から出力された加速度に基づいて携帯端末１２が移動中であるか否かを判定し、携帯端末１２が移動中であると判定した場合、地磁気センサ２０８から出力された磁気の大きさに基づいて、携帯端末１２を携帯するユーザが歩行中であるか否かを判定する。
【０１５１】
なお、移動情報生成部２３１は、加速度センサ２０７から出力された加速度が第１閾値以上である場合、その加速度が第１閾値より大きい第３閾値以上であるか否かを判定し、第３閾値未満である場合、ユーザは歩行中であり、第３閾値以上である場合、ユーザは乗り物で移動していると判定してもよい。しかしながら、電車は頻繁に速度が変化するため、地磁気センサ２０８から出力された磁気の大きさに基づいて判定する方が、より精度良く、ユーザが歩行中であるか否かを判定することができる。
【０１５２】
ステップＳ５０８において、移動情報生成部２３１は、携帯端末１２が移動しているか否かを示す移動情報を生成する（ステップＳ５０８）。なお、移動情報は、携帯端末１２が移動中でない停止状態、又は移動中である移動状態を示し、さらに、移動中である場合は携帯端末１２を携帯するユーザの歩行により移動している歩行状態、又は電車、バス等の乗り物により移動している乗車状態を示す。
【０１５３】
次に、移動情報生成部２３１は、移動情報を生成した時間を移動情報に対応する時間情報として取得し、移動情報及び時間情報を関連付けて記憶部２１０に記憶する（ステップＳ５０９）。なお、移動情報生成部２３１は、加速度センサ２０７及び地磁気センサ２０８から、携帯端末１２の移動に係るデータを取得した時間を時間情報として取得してもよい。
【０１５４】
次に、利用シーン決定部２３２は、移動情報生成部２３１が生成した移動情報に基づいて、現在の利用シーンを決定し（ステップＳ５１０）、一連のステップを終了する。
【０１５５】
利用シーン決定部２３２は、最近の所定時間（例えば、１分）以内に記憶部２１０に記憶された移動情報が全て停止状態を示す場合、利用シーンを「これから出発」に決定する。また、利用シーン決定部２３２は、最近の所定時間以内に記憶部２１０に記憶された移動情報が全て移動状態を示す場合、利用シーンを「乗車中」に決定する。また、利用シーン決定部２３２は、最新の移動情報が停止状態を示し、且つ最近の所定時間以内に記憶部２１０に記憶された移動情報のうちの何れかが移動状態を示す場合、利用シーンを「駅・バス停に到着」に決定する。また、利用シーン決定部２３２は、最新の移動情報が移動状態を示し、且つ最近の所定時間以内に記憶部２１０に記憶された移動情報のうちの何れかが停止状態を示す場合、利用シーンを「電車・バスに乗車」に決定する。
【０１５６】
なお、利用シーン決定部２３２は、最近の所定時間以内に記憶部２１０に記憶された移動情報が全て乗車状態を示す場合に限り、利用シーンを「乗車中」に決定してもよい。同様に、利用シーン決定部２３２は、最新の移動情報が乗車状態を示し、且つ最近の所定時間以内に記憶部２１０に記憶された移動情報のうちの何れかが停止状態を示す場合に限り、利用シーンを「電車・バスに乗車」に決定してもよい。
【０１５７】
また、利用シーン決定部２３２は、携帯端末１２が存在する位置に基づいて、携帯端末１２の現在の状態に対応する利用シーンを決定してもよい。その場合、利用シーン決定部２３２は、ＧＰＳ部２０９から位置情報を取得し、取得した位置情報に示される位置が、駅、バス停、電車又はバスの経路等の予め設定された位置であるか否かを判定する。利用シーン決定部２３２は、ジオフェンシングの技術を利用して、地図上にバーチャルなフェンスを設置し、位置情報に示される位置が特定のフェンス内にある場合に、その位置が予め設定された位置であると判定する。
【０１５８】
例えば、利用シーン決定部２３２は、位置情報に示される位置が電車又はバスの経路を示す場合に、利用シーンを「乗車中」に決定する。同様に、利用シーン決定部２３２は、位置情報に示される位置が駅又はバス停を示す場合に、利用シーンを「駅・バス停に到着」に決定する。
【０１５９】
さらに、利用シーン決定部２３２は、移動情報及び携帯端末１２が存在する位置の両方に基づいて利用シーンを決定してもよい。その場合、例えば、利用シーン決定部２３２は、最近の所定時間以内に記憶部２１０に記憶された移動情報が全て移動状態を示し、且つ位置情報に示される位置が電車又はバスの経路を示す場合に、利用シーンを「乗車中」に決定する。これにより、利用シーン決定部２３２は、より正確に利用シーンを決定することができる。
【０１６０】
なお、利用シーン決定部２３２は、移動情報及び／又は携帯端末１２が存在する位置に基づいて利用シーンを特定できない場合には、図４に示した動作フローのステップＳ２０３及びＳ２０４の処理を実行し、操作部２０３による操作入力に基づいて利用シーンを決定してもよい。
【０１６１】
また、利用シーン決定部２３２は、移動情報及び／又は携帯端末１２が存在する位置に基づいて、表示部２０４に表示する利用シーンを限定してもよい。その場合、第１の実施形態と同様に、定型文管理テーブルには、「電車遅延」、「到着／帰宅が遅れる」及び「お休みする」等の、ユーザの移動に関する利用シーン以外の利用シーンも記憶しておく。例えば、最新の移動情報が停止状態を示す場合、情報取得部２２２は、ユーザが移動していることを表す「乗車中」及び「電車・バスに乗車」を表示せずに、「乗車中」及び「電車・バスに乗車」以外の利用シーンを表示部２０４に表示する。同様に、位置情報に示される位置が駅又はバス停でない場合、情報取得部２２２は、「駅・バス停に到着」を表示せずに、「駅・バス停に到着」以外の利用シーンを表示部２０４に表示する。これにより、ユーザの現在の状況にあった利用シーンのみが選択可能に表示されるため、携帯端末１２を利用するユーザは、より簡単に利用シーンを選択することが可能となる。
【０１６２】
以上説明してきたように、携帯端末１２は、位置情報に基づいて利用シーンを決定し、決定した利用シーンに対応した、電子メールの件名及び本文に係る定型文を表示する。これにより、携帯端末１２を利用するユーザは、利用シーンを選択する必要がなくなり、より簡単に電子メールを作成することが可能となる。
【０１６３】
なお、本発明は、第１の実施形態及び第２の実施形態に限定されるものではない。例えば、本実施形態では、管理端末３は、管理サーバ４を介して携帯端末２の設定を行ったが、管理サーバ４を介さずに、直接、携帯端末２に対して設定を行ってもよい。その場合、管理端末３は、携帯端末２に設定要求を送信し、携帯端末２が、管理端末３が携帯端末２に対して各種の設定をすることが可能な管理端末を判定する。そして、携帯端末２は、管理端末３が携帯端末２に対して各種の設定をすることが可能な管理端末である場合、設定要求に含まれる設定機能について、設定要求に含まれる設定項目を設定する。
【０１６４】
また、通信システム１においてＳＭＳ生成サーバ５及びＳＭＳ送信サーバ６を省略してもよい。その場合、管理サーバ４が、ＳＭＳ生成サーバ５及びＳＭＳ送信サーバ６の機能を有し、ＳＭＳのメッセージを直接携帯端末２に送信する。
【０１６５】
また、携帯端末２が、利用シーンに応じた定型文を利用して作成するメッセージは、電子メールに限定されず、ＳＭＳのメッセージでもよい。
【０１６６】
また、携帯端末２がメッセージの作成に用いる定型文は、一つの文章に限定されない。携帯端末２は、複数の文章を定型文としてもよい。これにより、ユーザは、複数の文章からなるメッセージを容易に作成することができる。または、携帯端末２は、一つ以上の単語、又は一つ以上の文節を定型文としてもよい。これにより、ユーザは、単語、又は文節を組み合わせて、定型的な文章を容易且つ柔軟に作成することができる。
【０１６７】
当業者は、本発明の精神及び範囲から外れることなく、様々な変更、置換及び修正をこれに加えることが可能であることを理解されたい。
【符号の説明】
【０１６８】
１    通信システム
２、１２    携帯端末
２０１    第１無線通信部
２０３    操作部
２０４    表示部
２０７    加速度センサ
２０８    地磁気センサ
２１０    記憶部
２２０、２３０    中央処理部
２２１    更新部
２２２    情報取得部
２２３、２３２    利用シーン決定部
２２４    メッセージ作成部
２２５    メッセージ送信部
２３１    移動情報生成部
【図１】
2015060304.tif 000003
【図２】
2015060304.tif 000004
【図３】
2015060304.tif 000005
【図４】
2015060304.tif 000006
【図５】
2015060304.tif 000007
【図６】
2015060304.tif 000008
【図７】
2015060304.tif 000009
【図８】
2015060304.tif 000010
【図９】
2015060304.tif 000011
【図１０】
2015060304.tif 000012
【図１１】
2015060304.tif 000013
【図１２】
2015060304.tif 000014
【図１３】
2015060304.tif 000015